(57)【要約】【課題】  電源線が１系統ですみ、工事が楽で、工事費を安くして設置できる浴室用暖房機を提供する。【解決手段】  浴室１の天井６に設けられる天井付暖房機７とは別体の、輻射暖房機能を有する輻射暖房機８を浴室内のコーナー部等に設け、この輻射暖房機８の電源を天井付暖房機７から供給するように構成し、天井付暖房機７は入浴前の暖房時に運転させ、輻射暖房機８は入浴中の暖房時に運転させるように構成する。【選択図】  図１
2005147453.tif 000002
【特許請求の範囲】
【請求項１】
浴室の天井に設けられる天井付暖房機とは別体の、輻射暖房機能を有する輻射暖房機を浴室内のコーナー部等に設け、該輻射暖房機の電源を前記天井付暖房機から供給するように構成したことを特徴とする浴室用暖房機。
【請求項２】
前記天井付暖房機は、入浴前の暖房時に運転させ、前記輻射暖房機は、入浴中の暖房時に運転させるように構成して、天井付暖房機と輻射暖房機を同時に運転できないように構成したことを特徴とする請求項１に記載の浴室用暖房機。
【発明の詳細な説明】
【技術分野】
【０００１】
本発明は、浴室内を暖房し得る浴室用暖房機に関するものである。
【背景技術】
【０００２】
従来、浴室内に暖房機を設置する場合、この暖房機用の電源線の配線工事が必要となり、後付けする場合にも単独で電源線の工事が必要であった。
【特許文献１】特開平５−２１４８２２号公報
【発明の開示】
【発明が解決しようとする課題】
【０００３】
従来では、浴室内に暖房機を後付けで追加する場合にも、追加した暖房機用の電源線の工事が必要であり、工事費が増大してしまうという問題点があった。
【課題を解決するための手段】
【０００４】
本発明は上記従来の問題点に鑑み案出したものであって、工事が楽に行え、工事費も安くなる浴室用暖房機を提供せんとするものであり、請求項１は、浴室の天井に設けられる天井付暖房機とは別体の、輻射暖房機能を有する輻射暖房機を浴室内のコーナー部等に設け、該輻射暖房機の電源を前記天井付暖房機から供給するように構成したことである。
【０００５】
また、請求項２は、前記天井付暖房機は、入浴前の暖房時に運転させ、前記輻射暖房機は、入浴中の暖房時に運転させるように構成して、天井付暖房機と輻射暖房機を同時に運転できないように構成したことである。
【発明の効果】
【０００６】
本発明では、輻射暖房機の電源を天井付暖房機から供給するように構成したことにより、輻射暖房機を浴室内のコーナー部等に設け、天井暖房機から電源を供給することができるため、１００ボルト電源線が１系統ですみ、輻射暖房機用の電源線の工事を別途行う必要がなく、工事費を安くすることができるものとなる。
【０００７】
また、天井付暖房機は、入浴前の暖房時に運転させ、輻射暖房機は入浴中の暖房時に運転させるように構成して、天井付暖房機と輻射暖房機を同時に運転できないように構成したことにより、浴室内へ入る前に、天井付暖房機を運転させて良好に浴室内を温めておくことができ、入浴中には、輻射暖房機を運転させて、輻射熱で入浴中に十分な暖房効果を得ることができ、それぞれの暖房機を良好に別々に作動させて有効な暖房効果を得ることができるものとなる。また、天井付暖房機と輻射暖房機を同時に運転させないために、一般家庭で使用される１５Ａ分岐回路で配線することができ、家屋側配電盤の過電流遮断器が作動してしまうこともない。
【実施例】
【０００８】
以下、本発明の実施例を図面に基づいて説明する。
図１は、浴室内の斜視構成図である。
浴室１内には浴槽２が設けられ、洗い場３側の壁面には、カウンター４及び棚５が設けられており、洗い場３側の壁面のコーナー部には、輻射暖房機８が縦方向に取り付けられている。
また、浴室１の天井６には天井付暖房機７が設けられている。
【０００９】
図２は、浴室の天井裏側から見た斜視構成図であり、天井６に設けられた天井付暖房機７には、１００ボルト電源に接続された電源線９が配線されており、また天井付暖房機７には、別に電源供給線１０が接続されて、この電源供給線１０の他端は、壁裏から輻射暖房機８に接続されている。
即ち、図３に略図で示すような配線構造となっており、１００ボルト電源１２から電源線９を通り天井付暖房機７に電力が供給されるとともに、天井付暖房機７から電源供給線１０を通して輻射暖房機８に電力が供給されるように構成されている。
【００１０】
即ち、輻射暖房機８を浴室１内に後付けするような場合に、予め設置されている天井付暖房機７の電源を利用することができ、新たに輻射暖房機８用に電源線を配線する必要がなく、天井付暖房機７から電源供給線１０を延ばして輻射暖房機８に接続するのみで、良好に輻射暖房機８に電力を供給できるものとなり、１００ボルト電源線が１系統ですむため、輻射暖房機８の工事が容易かつ短時間で行え、工事費を安くして、輻射暖房機８を後付けできるものとなる。
【００１１】
なお、輻射暖房機８は、例えば図４の正面図で、また図５の側面図で示すような構造となっており、浴室１の洗い場３側の壁面のコーナー部に縦方向に設置しても、また、壁面と天井６のコーナー部に、図１の想像線で示すように横方向に設置しても良く、この輻射暖房機８内には、カーボンランプヒーター１３と、カーボンランプヒーター１３の後方側には、反射板１４が設けられており、前側は格子カバー１５でカバーされたものとなっている。
【００１２】
カーボンランプヒーター１３が点灯されると、遠赤外線が発せられ、遠赤外線が人に当たることにより、良好な輻射暖房が得られるものであり、反射板１４で反射された遠赤外線も良好に輻射されて、浴槽２内で入浴している人に対しても、洗い場３側で座って洗髪等を行っている人に対しても、良好に遠赤外線が当たり、良好な輻射暖房効果が得られるように、輻射暖房機８はコーナー部に取り付けられている。
なお、カーボンランプヒーター１３に代えて、ハロゲンヒーター、またはクォーツヒーターを内部に設けて、遠赤外線を輻射できるように構成しておくこともできる
【００１３】
なお、図５に示すように、反射板１４及びカーボンランプヒーター１３は、下向きに傾けた状態で内部に設けられており、斜め下方側に向かって良好に遠赤外線が照射されるように構成されている。
なお、前記天井付暖房機７内には、ファンとＰＴＣヒーターが内装されており、天井６から下方側へ向かって温風を吹き出すことができるように構成されている。
【００１４】
本例では、脱衣室側に設けられたリモコン１１を操作して、入浴前には天井付暖房機７を運転させて、天井付暖房機７からの温風により、入浴前に浴室１内を温めておくことができるように構成されており、この天井付暖房機７の運転時には輻射暖房機８は動作しないように、天井付暖房機７または輻射暖房機８の制御回路が構成されている。
また、入浴中には輻射暖房機８のみを作動させて、入浴中に良好に輻射暖房で温まることができるものである。
即ち、入浴中は浴室内は温かいために、輻射暖房８からの輻射暖房で十分であり、天井付暖房機７を動作させる必要は全くないのである。
【００１５】
また、天井付暖房機７と輻射暖房機８を同時に作動させてしまうと、一般家庭で使用される１５Ａ分岐回路で配線することができなかったり、家屋側配電盤の過電流遮断器が作動してしまう虞れもあるため、天井付暖房機７と輻射暖房機８は同時に運転できないように構成されている。
【図面の簡単な説明】
【００１６】
【図１】浴室内の斜視構成図である。
【図２】天井裏側から見た浴室の斜視構成図である。
【図３】天井付暖房機と輻射暖房機の配線状態の概略構成図である。
【図４】輻射暖房機の正面構成図である。
【図５】輻射暖房機の側面構成図である。
【符号の説明】
【００１７】
１  浴室
２  浴槽
３  洗い場
６  天井
７  天井付暖房機
８  輻射暖房機
９  電源線
１０  電源供給線
１１  リモコン
１２  電源
１３  カーボンランプヒーター（遠赤外線ヒーター）
１４  反射板
１５  格子カバー
【図１】
2005147453.tif 000003
【図２】
2005147453.tif 000004
【図３】
2005147453.tif 000005
【図４】
2005147453.tif 000006
【図５】
2005147453.tif 000007